(57)【特許請求の範囲】
【請求項１】
月日を計測するタイマー手段と、月末の金銭回収を実施したことを入力する回収実施入力手段と、金銭回収を実施したか未実施なのかを表示する自動販売機外郭に取り付けられている回収状況表示手段と、前記タイマー手段および前記回収実施入力手段の出力を基に、月が変化し、前月に１回も前記回収実施入力手段から金銭回収実施入力がないと判断した場合に、前記回収状況表示手段に未実施状態を表示させる主制御部とを備えたもので、さらに、金銭回収実施を要求する回収要求表示手段と、オペレート間隔を入力するオペレート間隔入力手段と、タイマー手段から検知した現在日と前記オペレート間隔入力手段で入力されたオペレート間隔から次回オペレート日を演算する次回オペレート日演算手段を設け、前記主制御部は、前記次回オペレート日演算手段により演算した次回オペレート日が次月となる場合に、回収要求表示手段に金銭回収実施要求を表示させることを特徴とする自動販売機の制御装置。
【発明の詳細な説明】
【０００１】
【発明の属する技術分野】
本発明は、作業者が金銭回収を行うおこなう自動販売機の制御装置に関するものである。
【０００２】
【従来の技術】
従来の自動販売機の制御装置としては特開昭６１−２４８１９１号公報に示されているものがある。
【０００３】
以下、図面を参照しながら上記従来の自動販売機の制御装置を説明する。
【０００４】
図５は、従来の自動販売機の制御装置の機能ブロック図である。図６は、従来の自動販売機の制御装置の動作を示すフローチャートである。
【０００５】
図５において、１は釣銭回収スイッチ、２は釣銭装置、３は回収された釣銭枚数や金額を表示する表示装置、４は本自動販売機を総括制御する主制御部となっている。
【０００６】
以上のように構成された自動販売機の制御装置について、以下その動作を図６のフローチャートをもとにして説明する。
【０００７】
ステップＳ０１で釣銭回収スイッチが操作されたことを検知すると、ステップＳ０２で釣銭の払出しを開始し、ステップ０３で払出し終了確認後、ステップ０４で払出した金額等を表示装置に表示する。
【０００８】
【発明が解決しようとする課題】
しかしながら、上記従来の構成は、金銭回収操作を実施した場合に回収金額表示を行うものであるため、作業者が月末に販売金額の月締めのため実施する必要がある金銭回収操作を忘れた場合、作業者に金銭回収操作の忘れを気づかせることができないといった課題があった。
【０００９】
本発明は従来の課題を解決するもので、月末に実施する必要がある金銭回収操作を忘れることなく確実に実施させることができる自動販売機の制御装置を提供することを目的とする。
【００１１】
【課題を解決するための手段】
この目的を達成するために本発明は、月日を計測するタイマー手段と、月末の金銭回収を実施したことを入力する回収実施入力手段と、金銭回収を実施したか未実施なのかを表示する自動販売機外郭に取り付けられている回収状況表示手段と、前記タイマー手段および前記回収実施入力手段の出力を基に、月が変化し、前月に１回も前記回収実施入力手段から金銭回収実施入力がないと判断した場合に、前記回収状況表示手段に未実施状態を表示させる主制御部とを備えたもので、さらに、金銭回収実施を要求する回収要求表示手段と、オペレート間隔を入力するオペレート間隔入力手段と、タイマー手段から検知した現在日と前記オペレート間隔入力手段で入力されたオペレート間隔から次回オペレート日を演算する次回オペレート日演算手段を設け、前記主制御部は、前記次回オペレート日演算手段により演算した次回オペレート日が次月となる場合に、回収要求表示手段に金銭回収実施要求を表示させるものである。
【００１４】
これにより、月末に実施する必要がある金銭回収操作を忘れることなく確実に実施させることができる。
【００１５】
【発明の実施の形態】
本発明の請求項１に記載の自動販売機の制御装置の発明は、月日を計測するタイマー手段と、月末の金銭回収を実施したことを入力する回収実施入力手段と、金銭回収を実施したか未実施なのかを表示する自動販売機外郭に取り付けられている回収状況表示手段と、前記タイマー手段および前記回収実施入力手段の出力を基に、月が変化し、前月に１回も前記回収実施入力手段から金銭回収実施入力がないと判断した場合に、前記回収状況表示手段に未実施状態を表示させる主制御部とを備えたもので、さらに、金銭回収実施を要求する回収要求表示手段と、オペレート間隔を入力するオペレート間隔入力手段と、タイマー手段から検知した現在日と前記オペレート間隔入力手段で入力されたオペレート間隔から次回オペレート日を演算する次回オペレート日演算手段を設け、前記主制御部は、前記次回オペレート日演算手段により演算した次回オペレート日が次月となる場合に、回収要求表示手段に金銭回収実施要求を表示させるものであり、現在日とオペレート間隔から演算される次回オペレート日が次月となる場合に、回収要求表示手段に金銭回収実施要求を表示させるため、月末に実施する必要がある金銭回収操作を忘れることなく確実に実施させることができるという作用を有する。
【００１７】
【実施例】
以下、本発明による自動販売機の制御装置の一実施例について、図面を参照しながら説明する。なお、従来と同一構成については、同一符号を付して詳細な説明を省略する。
【００１８】
（実施例１）
図１は、本発明の実施例１による自動販売機の制御装置の機能ブロック図である。図２は、同実施例の動作を示すフローチャートである。
【００１９】
図１において、５は月日を計測するタイマー手段、６は月末の金銭回収を実施したこと入力する回収実施入力手段、７は金銭回収を実施したか未実施なのかを表示する自動販売機外郭に取り付けられている回収状況表示手段、４ａはタイマー手段５と回収実施入力手段６と回収状況表示手段７を有する主制御部である。
【００２０】
以上のように構成された自動販売機の制御装置について、以下その動作を図２のフローチャートをもとにして説明する。
【００２１】
まず、ステップＳ１０で、現在月を確認し月に変化が発生した場合、ステップＳ１１で前月の金銭回収実施入力状態を確認し、入力がなかった場合、ステップ１２で金銭回収未実施状態の表示をおこなう。
【００２２】
以上のように本実施例１の自動販売機の制御装置は、月日を計測するタイマー手段５と、月末の金銭回収を実施したことを入力する回収実施入力手段６と、金銭回収を実施したか未実施なのかを表示する自動販売機外郭に取り付けられている回収状況表示手段７と、タイマー手段５および回収実施入力手段６の出力を基に、月が変化し、前月に１回も回収実施入力手段６から金銭回収実施入力がないと判断した場合に、回収状況表示手段７に未実施状態を表示させる主制御部４ａとを備えたものであり、月が変化し、前月に１回も金銭回収実施入力がない場合に、自動販売機外郭に取り付けられた回収状況表示手段７に未実施状態が表示されるため、月末に実施する必要がある金銭回収操作を忘れた場合に、金銭回収操作の忘れを作業者に気づかせることができる。
【００２３】
なお、本実施例において、回収状況表示手段７はランプ等による表示手段としたが、回収状況表示手段７を公衆回線などを用いたオンラインによるアラーム手段としてもよい。回収状況表示手段７をアラーム手段とすると、金銭回収操作の忘れを現地にいかなくて月初めには確実に確認できるという効果が得られる。
【００２４】
（実施例２）
図３は、本発明の実施例２による自動販売機の制御装置の機能ブロック図である。図４は、同実施例の動作を示すフローチャートである。
【００２５】
図３において、８は金銭回収実施を要求する回収要求表示手段、９はオペレート間隔を入力するオペレート間隔入力手段、１０は現在日とオペレート間隔から次回オペレート日を演算する次回オペレート日演算手段、４ｂは回収要求表示手段８とオペレート間隔入力手段９と次回オペレート日演算手段１０を有する主制御部である。
【００２６】
以上のように構成された自動販売機の制御装置について、以下その動作を図４のフローチャートをもとにして説明する。
【００２７】
まず、ステップＳ２０で、現在日を確認し日に変化が発生した場合、ステップＳ２１で事前に入力されたオペレート間隔から次回オペレート日を演算する。ステップ２２で次回オペレート日を確認し、次月となる場合、ステップ２３で金銭回収実施要求の表示をおこなう。
【００２８】
以上のように本実施例２の自動販売機の制御装置は、金銭回収実施を要求する回収要求表示手段８と、オペレート間隔を入力するオペレート間隔入力手段９と、タイマー手段５から検知した現在日とオペレート間隔入力手段９で入力されたオペレート間隔から次回オペレート日を演算する次回オペレート日演算手段１０を設け、主制御部４ｂは、次回オペレート日演算手段１０により演算した次回オペレート日が次月となる場合に、回収要求表示手段８に金銭回収実施要求を表示させるものであり、現在日とオペレート間隔から演算される次回オペレート日が次月となる場合に、回収要求表示手段８に金銭回収実施要求を表示させるため、月末に実施する必要がある金銭回収操作を忘れることなく確実に実施させることができる。
【００２９】
なお、本実施例において、回収要求表示手段８はランプ等による表示手段としたが、回収要求表示手段８をブザー等による発音手段としてもよい。回収要求表示手段８を発音手段とすると、回収要求の見落としによる操作忘れを防止できるという効果が得られる。
【００３０】
【発明の効果】
以上説明したように本発明は、金銭回収を実施したこと入力する回収実施入力手段を設け、月が変化し、前月に１回も金銭回収実施入力がない場合、金銭回収実施状態が未実施であることを表示するようにしたことにより、月末に実施する必要がある金銭回収操作を忘れた場合でも、金銭回収操作の忘れを作業者に気づかせることができるとともに、オペレート間隔を入力するオペレート間隔入力手段を設け、現在日と事前に入力されたオペレート間隔から次回オペレート日を演算し、次回オペレート日が次月となる場合は、金銭回収実施が必要であることを表示するようにしたことにより、月末に実施する必要がある金銭回収操作を忘れることなく、確実に実施させることができる。
【図面の簡単な説明】
【図１】本発明による自動販売機の制御装置の実施例１の機能ブロック図
【図２】同実施例の自動販売機の制御装置の動作を示すフローチャート
【図３】本発明による自動販売機の制御装置の実施例２の機能ブロック図
【図４】同実施例の自動販売機の制御装置の動作を示すフローチャート
【図５】従来の自動販売機の制御装置の機能ブロック図
【図６】従来の自動販売機の制御装置の動作を示すフローチャート
【符号の説明】
４ａ，４ｂ  主制御部
５    タイマー手段
６    回収実施入力手段
７    回収状況表示手段
８    回収要求表示手段
９    オペレート間隔入力手段
１０  次回オペレート日演算手段
【図１】
0004479049.tif 000002
【図２】
0004479049.tif 000003
【図３】
0004479049.tif 000004
【図４】
0004479049.tif 000005
【図５】
0004479049.tif 000006
【図６】
0004479049.tif 000007